(57)【特許請求の範囲】
【請求項１】
車体と、
前記車体の上に着脱自在に積載したフレームで構成され、かつ懸架部を備えた懸架席体と、
浴槽近傍およびその上方に亙って配置されたレールと、
前記レールに走行自在に設けられた走行体と、
前記走行体に設けられた、前記懸架席体を昇降するための駆動手段と、
前記駆動手段に巻き上げ巻き降ろし可能に垂下されたベルトと、
前記走行体のハウジングと前記ベルトの下端に固定された連結部との間に、垂下された前記ベルトを取り囲んだ状態で伸縮自在かつ回転しないように取付けられた、テレスコピック構造の多角筒と、
前記ベルトの下端の連結部に固定された位置決め用の金属プレートおよび前記ベルトの下端に垂下されたボルトと、
前記ベルトの下端に垂下された前記ボルトを介して、前記ベルトに対し、水平方向に回動自在に取り付けてなる、前記懸架席体の懸架部の上部と連結自在に設けられた吊架手段と、
前記吊架手段の回動を止めるために、前記吊架手段に出没自在に設け、前記位置決め用の金属プレートの側面に係合させるピンと、
前記走行体および前記駆動手段を制御するための、前記吊架手段近傍に取り付けた取り付けロッドに設けた制御手段と、
からなることを特徴とする入浴装置。
【請求項２】
請求項１に記載の入浴装置であって、前記ベルトの下端にナイロンブロックを接続し、該ナイロンブロックから垂下した前記ボルトに、前記吊架手段を取り付けることにより、前記吊架手段をベルトに対して電気絶縁状態に接続したことを特徴とする入浴装置。
【発明の詳細な説明】
【０００１】
【産業上の利用分野】
本発明は、入浴装置に関し、特に、身体不自由者、長期療養者などの足腰の弱い人向けの、座ったままで入浴のできる入浴装置に関するものである。
【０００２】
【従来の技術】
現在、この種の入浴装置として多くの種類の装置が提案されている。寝たままの状態で入浴する装置と、座ったままで入浴する装置とがある。寝たままの状態で入浴する装置にあっては、入浴者を載せたフレームを浴槽に入れるときに、そのフレームを頭の位置する側を持ち上げ、足腰にあたる部位を折曲げるなどの作動をさせるように構成したものなどがある。また。座ったままで入浴する装置にあっては、車椅子から又はベッドから入浴者をハンモックのような吊り帯びにて掬い上げ、これを天井から吊り下げたハンガーで吊るし浴槽に又は車椅子に移動させる構成となっている。
【０００３】
前者の装置は、大掛かりな装置になるので設置される場所も限られ、一般家庭などでは利用し難いものである。後者の装置にあっては、簡易及び比較的廉価であること、ベッドから直接入浴者を掬い上げられること、場所をとらないコンパクトであることなどから家庭において大いに利用されているが、入浴者を吊り帯びで吊すということは身体、特に弱った局部を圧迫すること、介添えが必要となること、並びに寝室と浴室に吊り上げ装置が必要となることなどから望ましいものではない。
【０００４】
【発明が解決しようとする課題】
本発明にあっては、後者に関連する装置の改良に係るものであるが、吊り帯びのような柔軟性のある材料で入浴者を吊り上げることなく、フレーム構造の座部を形成することによって、これに入浴者が載った後には、装置が入浴者を圧迫することなく、かつ介添えを必要とすることなく、寝室から浴室に移動し、入浴し、しかる後、寝室に戻ることができる入浴装置を提供することを目的とするものである。
【０００５】
【課題を解決するための手段】
本発明は、上記課題を解決するために、車体と、前記車体の上に着脱自在に積載したフレームで構成され、かつ懸架部を備えた懸架席体と、浴槽近傍およびその上方に亙って配置されたレールと、前記レールに走行自在に設けられた走行体と、前記走行体に設けられた、前記懸架席体を昇降するための駆動手段と、前記駆動手段に巻き上げ巻き降ろし可能に垂下されたベルトと、前記走行体のハウジングと前記ベルトの下端に固定された連結部との間に、垂下された前記ベルトを取り囲んだ状態で伸縮自在かつ回転しないように取付けられた、テレスコピック構造の多角筒と、前記ベルトの下端の連結部に固定された位置決め用の金属プレートおよび前記ベルトの下端に垂下されたボルトと、前記ベルトの下端に垂下された前記ボルトを介して、前記ベルトに対し、水平方向に回動自在に取り付けてなる、前記懸架席体の懸架部の上部と連結自在に設けられた吊架手段と、前記吊架手段の回動を止めるために、前記吊架手段に出没自在に設け、前記位置決め用の金属プレートの側面に係合させるピンと、前記走行体および前記駆動手段を制御するための、前記吊架手段近傍に取り付けた取り付けロッドに設けた制御手段と、からなることを特徴とする構成としたものである。
【０００６】
また、前記ベルトの下端にナイロンブロックを接続し、該ナイロンブロックから垂下した前記ボルトに、前記吊架手段を取り付けることにより、前記吊架手段をベルトに対して電気絶縁状態に接続してもよい。
【０００７】
【作用】
本発明は、上記構成からなるものであるから、車体と懸架席体とを一体に接続した状態で入浴者がこれに乗り、車体を動かして走行体の下方に位置させ、制御手段を作動させて吊架手段を降下させ、そして、車体と懸架席体との接続を分離し、懸架席体の上部と吊架手段とを連結し、吊架手段と懸架席体とを上昇させ、しかる後、走行体を、レール上を走行させて、浴槽上に移動し、そこから下降し、入浴をすることができる。その後は上述の逆の動作をさせて浴槽から出て元の位置へ戻ることができる。
また、懸架席体を昇降するための駆動手段に巻き上げ巻き降ろし可能に垂下されたベルトの下端の連結部に固定された位置決め用の金属プレートとボルトを介して、懸架席体を吊架するための吊架手段をベルトに対して水平方向に回動自在とし、また、吊架手段の回動を止めるために、吊架手段に出没自在に設けたピンを、位置決め用の金属プレートの側面に係合させて、所定位置に止めるように設けたものにあっては、懸架席体に乗った入浴者の向く方向を自由に変えることができると共に向く方向を所定の位置に決めることができる。
【０００８】
また、吊架手段をベルトの下端の取付け部位に対して、ベルトの下端にナイロンブロックを接続し、該ナイロンブロックから垂下したボルトに吊架手段を取り付けることにより、電気絶縁状態に接続したものにあっては、水分、水蒸気の多い浴室内での漏電事故を防止する。
【０００９】
【実施例】
図１及び図２に基づいて本発明の実施例について説明する。本発明の入浴装置は、概略、車体１と、懸架席体２と、レール３と、走行体４とからなる。
【００１０】
車体１は、足置部１４と受け面１５を備えた本体１１と、本体１１に取り付けた車輪１２とキャスター１３とからなる。受け面１５は四方形状の平面を有し、その四隅にボールベアリング１６が取り付けられると共にその中央には連結装置１７が設けられている。
【００１１】
連結装置１７は、図３及び図４に示すように、受け面１５の上面に添って前後方向に伸びたガイド筒１８を備えている。ガイド筒１８の両端内部には、一対の板状係合片１９がその端部から出没自在に挿入されており、各板状係合片１９の内端には本体１１に回転自在に枢着した一対のアーム２０の一端が夫々枢着されている。各アーム２０の他端は、本体１１に回転自在に取り付けた回転板２１に一端を枢着した一対の作動アーム２２の他端に夫々枢着されている。回転板２１は軸２３上に固定されており、軸２３の一部は本体１１の外部に突出し、そこに軸を回動するための把手２４が固定されている。
【００１２】
把手２４を何れかの方向に回動すれば、この動きは回転板２１、作動アーム２２、アーム２０を介して各係合片１９をガイド筒１８の両端から出没させる。係合片１９が突出したときは、後述の懸架席体２の係止片３１と係合して車体１と懸架席体２とを一体に接続される。なお、合体された状態の車体１と懸架席体２とは車椅子を形成して、入浴者の移動を容易としている。
【００１３】
懸架席体２は、座部２６、背凭れ部２７、肘掛部２８、湾曲して上部に延びた背凭れ部２７の上端に設けられた懸架部２９からなるフレームによって構成されている。座部２６の下面には、車体１の四隅のボールベアリング１６に対応する位置に下を向いたテーパー状の位置決め受皿３０が取り付けられ、また、車体１のガイド筒１８の両端に対応する位置に、一対の断面Ｌ字状の係止片３１が向い合って取り付けられている。車体１が下降され、四隅のボールベアリング１６に位置決め受皿３０が着座するとき、図３に示すように、車体１のガイド筒１８の両端は夫々係止片３１の直上に臨むことになる。懸架部２９は、図８及び図９に示すように、上端が二又に別れ、しかも、その対向端部は開口しかつ下向きに開口した下方を向いた溝部３３となっている。溝部３３には後述の吊架手段５が嵌合するが、これを脱落しないようにするために、懸架部２９の側壁に夫々貫通するクランプねじ３２がねじ込まれている。
【００１４】
レール３は、図２及び図５に示すように、平行に組み付けられて、浴槽の近傍上方から直上方にのびており、しかも、天井３５と床３６との間で突張った４本の支柱３７によって水平に保持されている。レール３の各端部は側壁３８間で突張るために、長さを変えることができる身長部を取り付けてある。レール３と支柱３７との連結はジョイント３９により行い、夫々セットボルトで固定する。
【００１５】
レール３は、出来るだけ高い位置に取り付けることが望ましいが、天井が低いと高さとの関係から走行体４の高さ分をその上方に取る程度となる。そこで、図６に示すようにレール３の一部を切り欠いて、この切欠部分４０をレール３に対して着脱自在とすることによって走行体４を水平方向からレール３に組み付けることができる。切欠部分４０はフランジ４１を設けてねじ等でレール３に連結する。レ−ル３の内側（走行体の走行面となる。）には補強プレート４２がレール３と切欠部分４０とに亙ってねじで固定される。
【００１６】
走行体４は、枠を含むハウジング４３を備え、その両側面には、図５に示すように、垂直軸の周りに回転する転子４４がレ−ル３の内面に接するように取り付けられ、また水平軸の周りに回転する走行車輪４５が取り付けられている。図７に示すように、一対の走行車輪４５はハウジング４３の内部に設置したモータ４６によってプーリ４７、４８とベルト４９を介して駆動される。これらの転子及び車輪の配置により走行体４はレール３から脱線することはない。
【００１７】
また、ハウジング４３の内部にはもう一つのモータ（駆動手段）５０が設置されており、懸架席体２を吊架するための吊架手段５をベルト５１を介して巻き上げ、巻き降ろしをするように設けられている。なお、５２はモータ５０の出力軸に固定された巻上転子で、ベルト５１の基端を固定する。５３はベルト５１を中継する中間転子である。
【００１８】
ベルト５１の下端は、支持プレート５４の上に固定したチエン体５５の最上のピン５６に巻き付け固定されている。支持プレート５４の下面には、金属プレート５７、ナイロンプレート５８、ナイロンブロック５９が順次積層され、ボルト６０でこれらを一体化している。更に、ナイロンブロック５９の下面には位置決め用の金属プレート６１が皿ビスで固定されている。ナイロンブロック５９から垂下したボルト６２の下端部に吊架手段５である角パイプが取り付けられている。
【００１９】
ボルト６２の最下部には、図８に示すように、レバー６３の中間部が揺動自在に緩嵌挿している。レバー６３の一端は、吊架手段５に貫通されかつばね６４で上方に付勢されたピン６５の下端部に係合している。ピン６５の上端部は、吊架手段５から上方に突出し、位置決め用の金属プレート６１の側面（その側面は多角面にするか、位置め溝を形成して置く。）に当接している。レバー６３の他端を矢印方向に押し上げれば、ピン６５を下方に引き下げることができ、これによってピン６５の先端部の金属プレート６１の側面に対する係合を外すことができ、この状態で吊架手段５は金属プレート６１より以上の部材に対し水平方向に回動自在となる。
【００２０】
金属プレート５７には、図８及び図１に示すように、取付けロッド６６が取り付けられており、その先端にスイッチボックス（制御手段）６７が取り付けられている。そして、走行体４内の電気回路から引き出された電線６８が取付けロッド６６の周りを巻付けられてスイッチボックス６７内に導かれている。
【００２１】
ハウジング４３の下面のベルト５１が通過する部位に貫通孔７０が設けられており、貫通孔７０とチエン体５５を固定した支持プレート５４との間にはテレスコピック構造の複数の多角筒７１（実施例では四角筒）がベルト５１を取り囲んだ状態で取り付けられる。一番太い径の多角筒７１は貫通孔７０の周囲に係合しており、一番径の細い多角筒７１の下端部が支持プレート５４上の回り止め凸部７２に係合する。テレスコピック構造の多角筒７１で囲まれた部分の回転はなく、従って多角筒の伸縮に伴って懸架席体は角度を変えることなく昇降する。最上部の多角筒７１の上面には封止プレート７３が載置されており、またその上方にはリミットスイッチ７５が配置される。ベルト５１が巻き上げられ複数の多角筒７１の全てが収縮したとき封止プレート７３とリミットスイッチ７５とが接触し、モータ５０の回転を止める作動をする。
【００２２】
なお、図中、７６は走行体４の前後方向に設けたリミットスイッチで、レール３に接触物を取り付けて走行体４の走行範囲を予め決めて置き、これとの接触によりモータ４６にブレーキを駆け、走行体の走行を止める作動をさせる。
【００２３】
【本発明の効果】
本発明は、上記構成からなるものであるから、懸架席体に入浴者が一度座れば、後は移動、入浴を一人で行うことができ、しかも、その動作中懸架席体に座っているので入浴者は圧迫を受けることは全くない。また、懸架席体が連結されるベルトはそれ自体多角筒によって水平方向の回転が阻止されることになる。
また、懸架席体を昇降するための駆動手段に巻き上げ巻き降ろし可能に垂下されたベルトの下端の連結部に固定された位置決め用の金属プレートとボルトを介して、懸架席体を吊架するための吊架手段をベルトに対して水平方向に回動自在とし、また、吊架手段の回動を止めるために、吊架手段に出没自在に設けたピンを、位置決め用の金属プレートの側面に係合させて、所定位置に止めるように設けたので、懸架席体に乗った入浴者の向く方向を自由に変えることができると共に向く方向を所定の位置に決めることができる。
【００２４】
また、吊架手段をベルトに対して、ベルトの下端にナイロンブロックを接続し、該ナイロンブロックから垂下したボルトに吊架手段を取り付けることにより、電気絶縁状態に接続したので、水分の多い場所ではあるが漏電の心配をすることなく入浴をすることができる。
【図面の簡単な説明】
【図１】本発明の全体の概略を示す斜視図である。
【図２】本発明の全体の概略を示す側面図斜視図である。
【図３】本発明における車体の上に懸架席体を乗せた状態を示す拡大断面図である。
【図４】本発明における車体上から懸架席体を分離した状態を示す拡大断面図である。
【図５】本発明におけるレールの平面図である。
【図６】本発明におけるレールの部分拡大平面図である。
【図７】本発明における走行体及び吊架手段との関係を示す縦断面図である。
【図８】本発明における吊架手段と懸架席体の懸架部との関係を示す一部切り欠き正面図である。
【図９】本発明における懸架席体の懸架部の構造を示す斜視図である。
【符号の説明】
１  車体
２  懸架席体
３  レール
４  走行体
５  吊架手段
２９  懸架部
５０  モータ（駆動手段）
５１  ベルト
５９  ナイロンブロック
６１  金属プレート
６２  ボルト
６５  ピン
６７  スイッチボックス（制御手段）
７１  多角筒
【図１】
0003658022.tif 000002
【図２】
0003658022.tif 000003
【図３】
0003658022.tif 000004
【図４】
0003658022.tif 000005
【図５】
0003658022.tif 000006
【図６】
0003658022.tif 000007
【図７】
0003658022.tif 000008
【図８】
0003658022.tif 000009
【図９】
0003658022.tif 000010